(57)【要約】      （修正有）【課題】発光効果を有する少なくとも１つの光輝性構成部品を備える時計を提供する。【解決手段】中にムーブメント３２が配設される外装部品を備える時計であって、時計は外装部品のうちの少なくとも１つが、いずれの更なる発光コーティングを用いずに前記時計の可読性及び／又は視認性を増強できる光輝性材料で全体が作製された本体を有する時計構成部品３４、３６、３８、４０、４２、４４、４６、４８、５０、５２、５４を備える。【選択図】図２
0003208267.tif 000002
【実用新案登録請求の範囲】
【請求項１】
中にムーブメント（３２）が配設される外装部品（８）を備える時計（１０）であって、
前記時計（１０）は、前記外装部品（８）のうちの少なくとも１つが、いずれの更なる発光コーティングを用いずに前記時計の可読性及び／又は視認性を増強できる光輝性材料で全体が作製された本体を有する時計構成部品（３４、３６、３８、４０、４２、４４、４６、４８、５０、５２、５４）を備えることを特徴とする、時計（１０）。
【請求項２】
前記時計構成部品は、ケース（１２）、文字盤（１４）、風防ガラス（１６）、ベゼル（１８）、ボタン（２０）、クラウン（２２）、裏蓋（２４）、アプライド・インデックス（２６）又はバンド（３０）を少なくとも部分的に形成することを特徴とする、請求項１に記載の時計（１０）。
【請求項３】
中にムーブメント（３２）が配設される外装部品（８）を備える時計（１０）であって、
前記時計（１０）は、前記ムーブメント（３２）の少なくとも一部分が、いずれの更なる発光コーティングを用いずに前記時計の可読性及び／又は視認性を増強できる光輝性材料で全体が作製された本体を有する時計構成部品（１４、１６、１８、２０、２２、２４、２６、２８、３０）を備えることを特徴とする、時計（１０）。
【請求項４】
前記時計構成部品は、地板（３４）、受け（３６）、宝石（３８）、ロッド（４０）、テンプ（４２）、ホイール（４４）、アーバ（４６）、アンクル（４８）、振動錘（５０）、ガンギ車（５２）又はぜんまい（５４）を少なくとも部分的に形成することを特徴とする、請求項３に記載の時計（１０）。
【請求項５】
前記時計構成部品（１４、１６、１８、２０、２２、２４、２６、２８、３０、３４、３６、３８、４０、４２、４４、４６、４８、５０、５２、５４）の前記光輝性材料は、結晶構造を含むことを特徴とする、請求項１〜４のいずれか１項に記載の時計（１０）。
【請求項６】
前記光輝性材料は、Ｃｒ、Ｆｅ又はＴｉ原子をドープしたサファイア（Ａｌ2Ｏ3）バルクを含む、請求項５に記載の時計（１０）。
【請求項７】
前記光輝性材料は、Ｃｅ又はＴｂ原子をドープしたイットリウム‐アルミニウムガーネット（ＹＡＧ）バルクを含む、請求項５に記載の時計（１０）。
【請求項８】
前記光輝性材料は、Ｅｕ原子をドープしたオルトバナジン酸イットリウム（ＹＶＯ4）バルクを含む、請求項５に記載の時計（１０）。
【請求項９】
前記時計構成部品（１４、１６、１８、２０、２２、２４、２６、２８、３０、３４、３６、３８、４０、４２、４４、４６、４８、５０、５２、５４）の前記光輝性材料は、ガラス及び／又はファイバガラスを含むことを特徴とする、請求項１〜４のいずれか１項に記載の時計（１０）。
【請求項１０】
前記時計構成部品（１４、１６、１８、２０、２２、２４、２６、２８、３０、３４、３６、３８、４０、４２、４４、４６、４８、５０、５２、５４）の前記光輝性材料は、セラミックを含むことを特徴とする、請求項１〜４のいずれか１項に記載の時計（１０）。
【請求項１１】
前記時計（１０）は更に、前記時計構成部品（１４、１６、１８、２０、２２、２４、２６、２８、３０、３４、３６、３８、４０、４２、４４、４６、４８、５０、５２、５４）の発光効果をトリガするための少なくとも１つの励起ユニット（６０）を備える、請求項１〜１０のいずれか１項に記載の時計（１０）。
【請求項１２】
前記励起ユニット（６０）は、制御ユニット（６２）によって起動されるＵＶ光源を備えることを特徴とする、請求項１１に記載の時計（１０）。
【請求項１３】
前記励起ユニット（６０）は、電子的に実装された前記ムーブメント（３２）に統合されることを特徴とする、請求項１１又は１２に記載の時計（１０）。
【請求項１４】
前記励起ユニット（６０）は、電子的に又は機械的に実装された前記ムーブメントに別個に組み付けるために、照明モジュール（６６）に統合されることを特徴とする、請求項１１〜１３のいずれか１項に記載の時計（１０）。
【考案の詳細な説明】
【技術分野】
【０００１】
本考案は、ヒトが視認可能な発光効果を提供する時計に関する。
【背景技術】
【０００２】
腕時計等の時計は典型的には、何らかの種類の発光素子を備える。例えば時計の針又はアプライド・インデックスを、燐光性材料又は同様の材料でコーティングすることにより、暗い又は薄暗い環境においてさえ、時刻の可読性及び／又は視認性を提供できる。典型的には、上記アプライド・インデックス及び／又は針を、アルミン酸ストロンチウム製の発光塗料でコーティングできる。
【０００３】
このような発光コーティングは、特定の材料への付着が良好でない場合があり、及び／又はすぐに劣化するか若しくは削れる場合があり、及び／又はこのようなコーティングの堆積プロセスは、複雑な表面上に、過酷な環境に耐える所定のパターンを確実に形成できない。
【０００４】
特許文献１は、アナログ式ディスプレイの針に埋入された導波路の蛍光効果を活性化するＵＶ光源を開示している。開示されている実装形態は扱いが極めて難しく、電源を常に必要とする。
【先行技術文献】
【特許文献】
【０００５】
【特許文献１】独国特許第１０２０１２００４１００号
【考案の概要】
【考案が解決しようとする課題】
【０００６】
本考案の目的は、特定のかつ独自の発光特性を呈する時計を提案することによって、これらの欠点を克服することであり、上記発光特性は、いずれの更なる発光コーティングを用いずに、このような時計の美的外観を増強でき、また上記美的外観にプラスに寄与できる。
【課題を解決するための手段】
【０００７】
従って本考案は、中にムーブメントが配設される外装部品を備える時計に関し、この時計は、上記ムーブメント又は上記外装部品のうちの少なくとも１つが、いずれの更なる発光コーティングを用いずに時計の可読性及び／又は視認性を増強できる光輝性材料で全体が作製された本体を有する時計構成部品を備えることを特徴とする。
【０００８】
有利には、光輝性材料の時計構成部品は、その表面に光輝性材料を備えるだけでなく、大量の、かつ３次元的な、巨視的に大容積の光輝性材料を備える。好ましくは、少なくとも１つの時計構成部品は光輝性材料からなり、従って均一な非コーティング表面を備えてよい。
【０００９】
全体が光輝性材料で作製又は製造された少なくとも１つの時計構成部品を時計に設けると、時計の選択された構成部品の、光輝性材料又はそれ以外の発光材料のコーティングは、事実上不必要となる。従って各時計の製造又は組み立てを簡略化できる。
【００１０】
更に、時計構成部品を作製する光輝性材料は更に、特定の魅力的な外観を備えてよく、これにより時計全体の美的外観を増強できる。
【００１１】
更に、全体が光輝性材料で作製された時計構成部品は、時計構成部品の選択された領域に塗布される従来の発光塗料に比べて遥かに強い発光効果を特徴とし得る。このようにして、暗い又は薄暗い環境における時計の視認性及び可読性を効果的に増強できる。
【００１２】
発光性時計構成部品は一般に、時計のいずれの場所に使用できる。上記発光性時計構成部品は、時計のムーブメント又は外装部品中の殆どいずれの構成部品又はその一部を置換又は代替できる。
【００１３】
本考案の他の特徴によると：
‐時計構成部品の材料は、結晶構造及び／又はガラス及び／又はファイバガラス及び／又はセラミックを含み；
‐時計構成部品を作製する材料は、以下の材料のうちの少なくとも１つ若しくは以下の材料の組み合わせを含むか、又は、以下の材料のうちの少なくとも１つ若しくは以下の材料の組み合わせからなり：Ｃｅ‐、Ｔｂ‐ドープイットリウム‐アルミニウムガーネット（ＹＡＧ）、Ｅｕ‐ドープオルトバナジン酸イットリウム（ＹＶＯ4）、Ｃｒ‐、Ｆｅ‐又はＴｉ‐ドープサファイア（Ａｌ2Ｏ3）；
‐時計構成部品は、ケース、文字盤、風防ガラス、ベゼル、ボタン、クラウン、裏蓋、アプライド・インデックス、バンド、地板、受け、宝石、ロッド、テンプ、ホイール、アーバ、アンクル、振動錘、ガンギ車又はぜんまいを少なくとも部分的に形成し；
‐時計は更に、時計構成部品の発光効果をトリガするための少なくとも１つの励起ユニットを備え；
‐上記励起ユニットは、制御ユニットによって起動されるＵＶ光源を備え；
‐上記励起ユニットは、電子的に実装されたムーブメントに統合され；
‐上記励起ユニットは、電子的に又は機械的に実装されたムーブメントに別個に組み付けるために、照明モジュール（６６）に統合される。
【００１４】
本考案の他の特徴及び利点は、非限定的な例として挙げられた添付の図面を参照して行われる以下の詳細な説明を読むことにより、より明らかになるであろう。
【図面の簡単な説明】
【００１５】
【図１】図１は、本考案による時計の分解図である。
【図２】図２は、本考案による時計ムーブメントの分解図である。
【図３】図３は、本考案の第１の実施形態による励起ユニットの実装の概略図である。
【図４】図４は、本考案の第２の実施形態による励起ユニットの実装の概略図である。
【考案を実施するための形態】
【００１６】
図１では、腕時計として提供された時計１０の外装部品８の様々な構成部品が概略的に図示されている。外装部品８は多くの場合、２ストランド式バンド３０を保持するケース１２を備える。ケース１２は、腕時計のムーブメント３２を保護するために、ケース１２の底面において裏蓋２４で閉鎖され、ケース１２の上面において風防ガラス１６で閉鎖される。ケース１２の内側には、ムーブメント３２と風防ガラス１６との間に、文字盤１４が配設されるのが典型的であり、この文字盤１４は、上記文字盤１４の上側に多数のアプライド・インデックス２６及び針２８を有する。風防ガラス１６はベゼル１８によって保持される場合がある。
【００１７】
外装部品８は更に、時刻を設定するため及び／又は時計１０の様々な機能を起動するために、例えばケース１２の中央部分から延在する、１つ又は複数のボタン２０及び／又はクラウン２２を備えてよい。
【００１８】
図２では、機械式ムーブメント３２のごく僅かな、ただし典型的な構成部品が図示されている。当然のことながら、後に説明するように、電子式ムーブメント又はハイブリッド電子‐機械式ムーブメントといった、他の種類のムーブメントも使用できる。ムーブメント３２は典型的には地板３４を備え、この地板３４の上には、受け３６、並びに宝石３８、ロッド４０、テンプ４２、様々なホイール４４、アーバ４６、アンクル４８、振動錘５０、ガンギ車５２及びぜんまい５４等の多様な可動及び相互係合構成部品といった、多様な更なる構成部品を、正確に画定された状態で配設できる。
【００１９】
本考案によると、図１、２に示す上述の構成部品のうちの少なくとも１つ又は一部だけでなく、時計１０の明示的に図示されていないいずれの他の機能性及び／又は美的構成部品は、発光材料製であってよい。特に上記時計構成部品は、時計の機能性構成部品であってよく、これは特定の正確に定義された機械的又は電気的機能をこの時計にもたらす。
【００２０】
本考案によると、上記発光材料は、例えば自然の又は非自然のＵＶスペクトル範囲での電磁放射によって励起された場合に、ヒト可視範囲の発光性応答を提供できることが好ましい。
【００２１】
好ましい実施形態では、時計構成部品は光輝性材料を備える。ここで光輝性材料は、燐光性及び蛍光性材料を含んでよい。蛍光性及び燐光性材料は、特にヒト可視範囲又はＵＶスペクトル範囲の電磁放射を吸収するよう適合される。そして光子の吸収は一般に、より高いエネルギ状態への電子の励起につながる。次に、電子がそのグランド状態に戻った結果として、同一の又はより低い光子周波数での視認可能な発光効果につながる光子の再放出が起こる。特に燐光現象の場合、励起された電子は振動緩和及び異なるスピン状態への系間交差を経なければならない。このような崩壊現象は、励起放射の初期波長に比べて長い、従ってエネルギが低い波長における発光に付随する。
【００２２】
発光材料で置換されることになる特定の構成部品又はその一部に応じて、好適な発光材料を選択しなければならない。典型的には、アンクル４８に関して、発光材料は爪石及び／又はアンクルレバーを置換できる。従って特定の実施形態では、時計構成部品は、単結晶構造及び多結晶構造を含む。発光性時計構成部品は３次元構造を備え、通常金属、プラスチック、サファイア、セラミック又はガラス製である既存の時計構成部品又はその一部を置換するために適用できる３次元物品として提供される。一般に、特定の発光材料製の時計構成部品はまた、時計の金属及び／又はプラスチック製構成部品を代替及び置換できるだけではなく、例えばサファイア又はルビー製の、既存の時計の他の結晶質及び非発光性構成部品も置換及び代替できる。
【００２３】
従って、上述の時計構成部品１４、１６、１８、２０、２２、２４、２６、２８、３０、３４、３６、３８、４０、４２、４４、４６、４８、５０、５２、５４のうちの少なくとも１つ又は一部は、バナジン酸イットリウム（ＹＶＯ4）等の、単結晶であるが発光性である異なる材料で作製することもできる。他の好適な材料は、ＹＬＦ、ＢＹＦ又はＫＹＦ等のフッ化物だけでなく、Ｓｃ2Ｏ3、Ｌｕ2Ｏ3等の三二酸化物であってよく、これらはそれぞれ好適なドーパント材料をドープされる。
【００２４】
時計構成要素が、特にヒト可視スペクトル範囲における電磁放射の誘導放出を特徴とし得ることは、特に有益である。このような単結晶材料はまた、特定の機械的機能を提供できる場合もある。単結晶発光材料の機械的硬度は、サファイア又はルビーに匹敵し得、従って例えば時計の機械式ムーブメントの、サファイア製又はルビー製構成部品それぞれを置換できる。好ましい実施形態では、上記少なくとも１つの時計構成部品が作製される材料は、酸化物、バナジン酸塩、タングステン酸塩、ホウ酸塩、アパタイト、ガーネット、サファイア、アルミネート、三二酸化物、ケイ酸塩、カルコゲニド、フッ化物のうちの少なくとも１つを含む。
【００２５】
例えば、時計１０のオリジナルのサファイア製構成部品は、ドープサファイア、ドープルビー、ドープ石英、ドープダイヤモンド又はドープＹＡＧ‐結晶によって置換及び代替してよい。特にＮｄ、Ｅｒ又はＹｂをドープしたＹＡＧ‐結晶は、高いレベルの剛性と、可視範囲内での比較的低い吸光性とをもたらす。
【００２６】
更なる好ましい実施形態では、時計の発光性時計構成部品は、各時計構成部品の体積内に埋入された少なくとも１つのドーパントをドープされる。特定のドーパントを適切に選択することによって、時計構成部品から放出される光のスペクトル範囲及び色を正確に決定及び選択できる。ここで、特定のドーパントの選択だけでなく、発光材料中のドーパント濃度を適宜修正することによって、時計に望ましい発光効果をもたらすことができる。
【００２７】
更なる好ましい実施形態では、ドーパントは以下の材料のうちの少なくとも１つ又はその組み合わせを含む：ネオジウム（Ｎｄ）、イッテルビウム（Ｙｂ）、エルビウム（Ｅｒ）、セリウム（Ｃｅ）、Ｎｄ：Ｃｅ、ツリウム（Ｔｍ）、ホルミウム（Ｈｏ）、ジスプロシウム（Ｄｙ）、サマリウム（Ｓｍ）、テルビウム（Ｔｂ）、ユーロピウム（Ｅｕ）、クロム（Ｃｒ）、鉄（Ｆｅ）、チタン（Ｔｉ）。一般に、イットリウム‐アルミニウムガーネット（ＹＡＧ）又はオルトバナジン酸イットリウム（ＹＶＯ4）等の単結晶酸化物発光材料に、殆どあらゆるランタニド又は希土類材料をドープして、可視スペクトル範囲の放出を提供できる。
【００２８】
更なる好ましい態様では、少なくとも１つの時計構成部品が作製される材料は、以下の材料のうちのいずれの１つ若しくはその組み合わせを含むか、又は以下の材料のうちのいずれの１つ若しくはその組み合わせからなる：
‐Ｃｅ‐、Ｔｂ‐ドープイットリウム‐アルミニウムガーネット（ＹＡＧ）
‐Ｅｕドープオルトバナジン酸イットリウム（ＹＶＯ4）
‐Ｃｒ‐、Ｆｅ‐又はＴｉ‐ドープサファイア（Ａｌ2Ｏ3）。
【００２９】
特にクロム‐ドープサファイアの場合、典型的には、Ｃｒ3+‐イオンがサファイア構造中のアルミニウムを置換する。
【００３０】
例えばＣｅ（ＩＩＩ）：ＹＡＧ結晶は、典型的には５３０〜５５０ｎｍの黄色の放出を提供する。更にＴｂ‐ドープＹＡＧ結晶を用いて、黄緑色の放出スペクトルを得ることもできる。
【００３１】
サファイア系単結晶時計構成部品は、６００ｎｍ超の範囲、例えば７００ｎｍ付近又は８００ｎｍ付近もの放出スペクトルを呈し得る。
【００３２】
上述のタングステン酸のうち、タングステン酸カリウムガドリニウム（ＫＧＷ）、タングステン酸カリウムイットリウム（ＫＹＷ）は時計構成部品の材料として役立ち得る。更に、フッ化イットリウムリチウム（ＹＬＦ）又はフッ化カルシウム（ＣＡＦ）等のフッ化物、及び例えばＹｂ３＋Ｓｒ３Ｙ（ＢＯ３）３（Ｙｂ：ＢＯＹＳ）であるホウ化物又はＳ‐ＦＡＰ若しくはＳＹＳ等のアパタイトは、単結晶バルク構造を提供でき、これによって時計構成部品を提供し、及び／又は時計構成部品を代替する。
【００３３】
更に、上述の時計構成部品１４、１６、１８、２０、２２、２４、２６、２８、３０、３４、３６、３８、４０、４２、４４、４６、４８、５０、５２、５４のうちの少なくとも１つ又は一部は、例えばイットリウムアルミニウムガーネット（ＹＡＧ）セラミックをベースとする、発光セラミック材料から製造してよい。このようなセラミック材料にも、好適なランタニド又はＣｅ若しくはＴｂ等の希土類材料をドープしてよい。
【００３４】
あるいは、又は更に、少なくとも１つの発光性時計構成部品は、例えばケイ酸塩ガラス、リン酸塩ガラス、フッ化物ガラス、ゲルマン酸塩ガラス又はフッ化ジルコニウム酸塩といったガラス材料を含んでよく、これらには適宜ランタニド又は希土類イオンをドープしてよい。単結晶構造とは対照的に、このような時計構成部品の材料は非晶質であり得る。ガラス又はガラスファイバ製構成部品は、比較的低いコストで、かなり大型の三次元構造で利用できる。好ましい実施形態では、時計構成部品の材料は、ケイ酸塩ガラス、リン酸塩ガラス、フッ化物ガラス、ゲルマン酸塩ガラス及び／又はフッ化ジルコニウム酸塩等の様々なガラスタイプのガラスを含むか、又は上記ガラスからなる。
【００３５】
ガラス系時計構成部品は、スラブの形態、又はランタニド類（Ｌａ‐Ｌｕ）、エルビウム（Ｅｒ）、イッテルビウム（Ｙｂ）、ネオジム（Ｎｄ）、ジスプロシウム（Ｄｙ）、プラセオジム（Ｐｒ）、ホルミウム（Ｈｏ）及び／若しくはツリウム（Ｔｍ）等の希土類元素をドープした、光ファイバ系能動利得媒体を有するファイバレーザ構成部品に相当する形態で提供してよい。時計構成部品が実質的に作製される、ドープされた能動利得媒体は、少なくとも１つのクラッディング層で少なくとも部分的に取り囲んでよい。このようにして、時計構成部品自体によって発光効果を更に増幅できる。
【００３６】
更に別の実施形態では、時計は更に、発光性時計構成部品１４、１６、１８、２０、２２、２４、２６、２８、３０、３４、３６、３８、４０、４２、４４、４６、４８、５０、５２、５４又はその一部の発光効果をトリガするために、少なくとも１つの励起ユニット６０を備える。例えば時計１０は、少なくとも１つの発光性時計構成部品１４、１６、１８、２０、２２、２４、２６、２８、３０、３４、３６、３８、４０、４２、４４、４６、４８、５０、５２、５４を、ヒト可視スペクトル範囲外の電磁放射で照明するよう適合された光源を備えてよい。ＵＶ励起に応じて、発光性時計構成部品１４、１６、１８、２０、２２、２４、２６、２８、３０、３４、３６、３８、４０、４２、４４、４６、４８、５０、５２、５４は、ヒト可視スペクトル範囲内の電磁放射を放出することによる蛍光又は燐光応答を呈することができる。
【００３７】
図３の概略ブロック図では、ケース１２及びムーブメント３２は、発光材料製の又はこのような材料からなる時計構成部品１４、３４を備える。図３の図は電子式時計１０に関し、ムーブメント３２はエネルギ源６４及び制御ユニット６２を備える。更にムーブメント３２は、例えばＵＶ光源の形態の励起ユニット６０を備え、これを用いてケース１２の及び／又はムーブメント３２の時計構成部品１４、３４の発光効果をトリガできる。
【００３８】
図３に示す時計構成部品１４、３４は、図１、２に示す時計構成部品１４、１６、１８、２０、２２、２４、２６、２８、３０、３４、３６、３８、４０、４２、４４、４６、４８、５０、５２、５４のうちのいずれの１つ又は一部の単なる例にすぎない。従って地板３４の代わりに、ムーブメント３２の振動錘５０、又は上述の構成部品のうちの他のいずれを、発光材料からなる又は発光材料製の時計構成部品として実装してよい。
【００３９】
励起ユニット６０を用いて、時計構成部品１４、３４の、従って時計１０全体の発光効果を、特に暗い又は薄暗い環境において必要に応じて提供できる。励起ユニット６０は、制御ユニット６２によって起動されるＵＶ光源を備えることができる。典型的には、制御ユニットは、例えばプッシュボタン２０又はクラウン２２の助けによってユーザが操作可能であり、電気エネルギ源６４を更に備えてよく、又は電気エネルギ源６４に連結されてよい。
【００４０】
ＵＶ光源を励起ユニットとして使用することにより、発光性時計構成部品の励起を、実質的にヒト可視範囲外で実施できる。更に、時計構成部品の発光効果の時定数に基づいて、動的な光の増減効果を実装することもできる。
【００４１】
図３の特定の実施形態では、励起ユニット６０は、時計１０の、電子的に実装されたムーブメント３２に統合されている。この実施形態では、時計１０は好ましくは電子式時計１０として設計及び実装される。ここで励起ユニット６０は、電子式ムーブメント３２内の追加の構成部品として提供してよい。励起ユニット６０の実装とは独立して、単一の励起ユニット６０によって様々な発光性時計構成部品１４、３４を同時に励起してよい。従って、時計１０の外装部品８に付随するものであってよい発光性構成部品を、電子式ムーブメントに統合された時計構成部品の場合と同様の方法で、励起ユニット６０で照明及び励起してよい。
【００４２】
別の態様では、励起ユニットを、電子的又は機械的に実装された時計１０に別個に組み付けることができるよう、照明モジュール６６に統合できる。
【００４３】
特に機械的に実装された時計に関して、励起ユニット６０、制御ユニット６２、エネルギ源６４は、別個のモジュール又は予備組立体に統合してよく、上記別個のモジュール又は予備組立体を全体として機械式時計１０内に又は機械式時計１０に組み付けてよい。またここで、励起ユニット６０は、照明モジュールの構成部品を光励起するために役立つだけではなく、いずれの発光性時計構成部品の照明及び励起を広く提供できる。
【００４４】
従って、図４に概略的に示すように、ムーブメント３２は、図３の構成とは対照的に、電気エネルギ源６４を備えない。図４による構成では、照明モジュール６６が設けられ、この照明モジュール６６は、エネルギ源６４、制御ユニット６２、並びに例えばムーブメント３２の及び／又は外装部品８それぞれの発光性時計構成部品３４、１４を励起及び／又は照明するためのＵＶ光源である励起ユニット６０を備える。
【００４５】
図４に更に図示されているように、照明モジュール６６はユーザインタフェース６８も備えてよく、このユーザインタフェース６８を用いて、発光性時計構成部品１４、３４の励起を必要に応じてトリガできる。ユーザインタフェース６８は、例えば所定の期間に亘ってユーザが励起ユニット６０を起動できるようにする、ボタン２０、クラウン２２等を備えてよい。
【００４６】
図４に示す照明モジュール６６は予備組み立てされていてよく、時計１０のケース１２内に又はケース１２に配設してよい。ここで一般に、既存のケース１２及び／又は機械式ムーブメント３２にも、このような照明モジュール６６を追加導入できると考えられる。
【００４７】
当然のことながら、本考案は図示した例に限定されるものではなく、当業者には明らかであろう様々な変形及び改変に供してよい。特に、本考案は時計学とは遠く離れた分野に適用できる。例えば本考案を、自動車、航空及び／又は宝飾品の領域に適用してよい。
【００４８】
更に、選択される発光材料に応じて、製造方法が異なり得る。従って、単結晶材料又は多結晶材料等の硬性材料に関して、研削及び／又は穿孔及び／又は研磨及び／又はエッチング（湿式若しくは乾式）プロセスを実施できる。セラミックを使用する特定の場合、成型及び焼結を実施できる。
【００４９】
最後に、上述の材料の殆どに対して、レーザ及び／又はプラズマ機械加工も実施できる。
【図１】
0003208267.tif 000003
【図２】
0003208267.tif 000004
【図３】
0003208267.tif 000005
【図４】
0003208267.tif 000006